(57)【特許請求の範囲】
【請求項１】
バケットフレームと、
左右対称に設けられた一対の移動フレームと、
前記バケットフレームに前記一対の移動フレームを取り付けて回転自在に支持するために水平に設けられた一対の軸とを備え、
前記一対の移動フレームは、ローカバーが載せられる一対の底部、および前記一対の底部の両外側に設けられ、前記ローカバーの両側を挟み込む一対の保持アームを有し、
前記一対の軸を中心とする前記一対の移動フレームの回転に伴い、前記一対の底部が上下方向に移動し、前記一対の保持アームが互いに離間または接近する方向に移動することを特徴とするローカバー保持装置。
【請求項２】
前記一対の保持アームを開くための強制開機構を備え、
前記強制開機構は、
前記バケットフレームを昇降させる昇降手段と、
前記一対の移動フレームの下方に配置されて、上方に向けて立設された押し上げ体とを備え、
前記昇降手段により前記バケットフレームが降下されて、前記押し上げ体が前記一対の移動フレームに押し付けられることにより、前記一対の軸を中心にして一対の移動フレームが回転し、前記一対の底部が上方向に移動すると共に、前記一対の保持アームが互いに離間する方向に移動することを特徴とする請求項１に記載のローカバー保持装置。
【請求項３】
前記一対の保持アームの上端の互いに対向する位置にそれぞれのローラが取り付けられていることを特徴とする請求項１または請求項２に記載のローカバー保持装置。
【発明の詳細な説明】
【技術分野】
【０００１】
本発明は、加硫前のローカバーを一時的に保管するために用いられるローカバー保持装置に関する。
【背景技術】
【０００２】
加硫前のローカバーは変形しやすく、変形した状態で加硫成形されると製品不良となるため、ローカバーを水平な軸に掛けて保持してその変形を防止する装置が提案されている（例えば、特許文献１）。また、ローカバーを立てた状態で保持してその変形を防止する装置も提案されている。
【０００３】
図３はローカバーを立てた状態で保持する従来のローカバー保持装置を示す正面図である。図３に示すように、このローカバー保持装置Ａ１は、ローカバーＣが立てられた状態で載置される底板ａと、底板ａに載置されたローカバーＣを両側から挟み込んで保持する開閉自在な一対の保持アームｂとを備えており、底板ａおよび一対の保持アームｂによりローカバーＣを立てた状態で保持することによりローカバーＣの変形を防止している。
【０００４】
また、一対の保持アームｂは、それぞれの軸ｃで軸支されて回転可能になっており、エアーシリンダーｅにより一方の保持アームｂが回転されると共に、伝達機構ｄを介して他方の保持アームｂも回転されて、一対の保持アームｂが開閉される。
【先行技術文献】
【特許文献】
【０００５】
【特許文献１】特開２００４―３５９４４８号公報
【発明の概要】
【発明が解決しようとする課題】
【０００６】
しかしながら、上記した従来の装置においては、一対の保持アームの開閉をエアーシリンダーなどの動力源によって行っており、その開閉を調整してローカバーを挟み込む力を変更する必要がある。
【０００７】
例えば、保持アームによる挟み込む力が強過ぎる場合にはローカバーが潰れて変形してしまい、逆に、弱過ぎる場合にはローカバーを安定的に保持することができない。
【０００８】
この保持アームの開閉の調整は動力源の調整により行われるが、動力源の調整作業は生産性の低下を招く恐れがある。
【０００９】
本発明は、上記の点に鑑みてなされたものであって、動力源を用いることなく、その調整作業も不要とする一方、常に適度の力でローカバーを挟み込んで保持することができるローカバー保持装置を提供することを課題とする。
【課題を解決するための手段】
【００１０】
請求項１に記載の発明は、
バケットフレームと、
左右対称に設けられた一対の移動フレームと、
前記バケットフレームに前記一対の移動フレームを取り付けて回転自在に支持するために水平に設けられた一対の軸とを備え、
前記一対の移動フレームは、ローカバーが載せられる一対の底部、および前記一対の底部の両外側に設けられ、前記ローカバーの両側を挟み込む一対の保持アームを有し、
前記一対の軸を中心とする前記一対の移動フレームの回転に伴い、前記一対の底部が上下方向に移動し、前記一対の保持アームが互いに離間または接近する方向に移動することを特徴とするローカバー保持装置である。
【００１１】
請求項２に記載の発明は、
前記一対の保持アームを開くための強制開機構を備え、
前記強制開機構は、
前記バケットフレームを昇降させる昇降手段と、
前記一対の移動フレームの下方に配置されて、上方に向けて立設された押し上げ体とを備え、
前記昇降手段により前記バケットフレームが降下されて、前記押し上げ体が前記一対の移動フレームに押し付けられることにより、前記一対の軸を中心にして一対の移動フレームが回転し、前記一対の底部が上方向に移動すると共に、前記一対の保持アームが互いに離間する方向に移動することを特徴とする請求項１に記載のローカバー保持装置である。
【００１２】
請求項３に記載の発明は、
前記一対の保持アームの上端の互いに対向する位置にそれぞれのローラが取り付けられていることを特徴とする請求項１または請求項２に記載のローカバー保持装置である。
【発明の効果】
【００１３】
本発明によれば、動力源を用いることなく、その調整作業も不要とする一方、常に適度の力でローカバーを挟み込んで保持することができるローカバー保持装置を提供することができる。
【図面の簡単な説明】
【００１４】
【図１】本発明の実施の形態に係るローカバー保持装置を示す正面図である。
【図２】本発明の実施の形態に係るローカバー保持装置の一対の保持アームを強制的に開かせるための動作を示す正面図である。
【図３】ローカバーを立てた状態で保持する従来のローカバー保持装置を示す正面図である。
【発明を実施するための形態】
【００１５】
以下、本発明を実施の形態に基づき、図面を用いて説明する。
【００１６】
１．ローカバー保持装置の基本的構成
図１は本実施の形態に係るローカバー保持装置を示す正面図である。（ａ）は一対の保持アームが開いた状態を示す図であり、（ｂ）は一対の保持アームが閉じた状態を示す図である。
【００１７】
図１に示すように、ローカバー保持装置Ａは、台座部１と、ローカバーＣを立てた状態で保持するバケット部２と、バケット部２を昇降させる昇降部４とを備えている。
【００１８】
バケット部２は、昇降部４により昇降可能に支持されたバケットフレーム２ａと、バケットフレーム２ａに水平に設けられた一対の軸２ｂと、一対の軸２ｂにより回転自在に支持されて、左右対称に設けられた一対の移動フレーム２Ａとを備えている。一対の移動フレーム２Ａは、ローカバーＣが載せられる一対の底部２ｅと、一対の底部２ｅの両外側に設けられて、ローカバーＣの両側を挟み込む一対の保持アーム２ｃと、一対の移動フレーム２Ａを互いに連結する一対の連結アーム２ｇとを有している。
【００１９】
一対の保持アーム２ｃは、一対の移動フレーム２Ａが一対の軸２ｂを中心にして回転するに伴い、離間または接近する方向に移動して開閉される。また、一対の保持アーム２ｃの上端の互いに対向する位置には、それぞれのローラ２ｈが取り付けられている。
【００２０】
一対の底部２ｅは、一対の連結アーム２ｇの上に設けられている。一対の底部２ｅは、一対の底板２ｄを有しており、一対の底板２ｄの屈曲した上面によりローカバーＣの周面を受けるようにされている。一対の移動フレーム２Ａが一対の軸２ｂを中心にして回転するに伴い、一対の底部２ｅおよび一対の底板２ｄが上下方向に移動する。なお、一対の底板２ｄは、互いに接近したときに干渉することがないように水平方向において互い違いに配置されている。
【００２１】
一対の連結アーム２ｇは、互いの先端部が回転自在にかつ水平方向にスライド可能な遊びを持たせて連結されており、一対の移動フレーム２Ａの回転を互いに伝え合って、一対の移動フレーム２Ａを左右対称に回転させる。
【００２２】
上記した構成の本実施の形態に係るローカバー保持装置の作用について以下に説明する。
【００２３】
ローカバーＣが保持されていないときには、図１（ａ）に示すように、一対の軸２ｂを中心とする一対の移動フレーム２Ａの左右の重量バランスにより一対の移動フレーム２Ａの静止位置が保たれ、一対の保持アーム２ｃが開かれた状態となる。このとき、一対の底板２ｄが上方に位置し、一対の連結アーム２ｇが直線状に並ぶ。
【００２４】
そして、図１（ｂ）に示すように、ローカバーＣが、開かれた一対の保持アーム２ｃの間を通じて一対の底板２ｄに載せられた場合は、ローカバーＣの自重により一対の底板２ｄが下方に押し下げられ、これに伴い一対の移動フレーム２Ａが一対の軸２ｂを中心にして回転し、一対の保持アーム２ｃが互いに接近する方向に移動して、一対の保持アーム２ｃの間にローカバーＣが挟み込まれて保持される。すなわち、ローカバーＣが、一対の底板２ｄに載せられて、一対の保持アーム２ｃにより保持される。
【００２５】
このとき、一対の保持アーム２ｃのローラ２ｈがローカバーＣの両側に接触するため、ローカバーＣの表面に傷が付くことはない。また、一対の連結アーム２ｇは、互いの連結箇所で折れ曲がった状態となる。
【００２６】
このように、本実施の形態においては、ローカバーＣの自重により一対の底板２ｄが押し下げられて、一対の保持アーム２ｃによりローカバーＣが挟み込まれて保持されるため、ローカバーＣの保持力はローカバーＣの自重に応じた大きさとなり、ローカバーＣが大きく変形する程に過大になることがない。
【００２７】
具体的に、大きくて重いローカバーＣの場合には、一対の底板２ｄを押し下げる力が大きくなって、一対の保持アーム２ｃによる保持力が大きくなる。一方、小さくて軽いローカバーＣの場合には、一対の底板２ｄを押し下げる力が小さくなって、一対の保持アーム２ｃによる保持力が小さくなる。
【００２８】
このように、本実施の形態においては、従来のようにエアーなどの動力源を用いるのではなく、ローカバーの自重に応じて保持アームによる保持力が自動的に適切に調整されるため、容易に、常に適度の力でローカバーを挟み込んで保持することができ、ローカバーＣの変形を十分に抑制することができる。
【００２９】
なお、ローカバーＣは、上方に引き抜かれて降ろされる。このとき、一対の移動フレーム２Ａの左右の重量バランスにより一対の移動フレーム２Ａが元の静止位置に戻るため、一対の底板２ｄが上方に移動して元の位置に戻り、一対の保持アーム２ｃが互いに離間する方向に移動して開いて元の位置に戻る。
【００３０】
一方、ローカバーＣを上方に引き抜こうとしても、一対の保持アーム２ｃが開かない場合は、ローカバーＣを引き抜くことができず、無理な引き抜きによりローカバーＣの損傷を招く可能性もある。このような事態を予測して、本実施の形態のローカバー保持装置Ａでは、一対の保持アーム２ｃを強制的に開くための強制開機構を設けている。この強制開機構は、昇降部４と、バケット部２の底部２ｅに向けて、台座部１に立設された押し上げ体２ｆとを備えている。
【００３１】
昇降部４は、支柱１ａと、支柱１ａに沿って上下方向に移動される走行体１ｂと、モータ３と、モータ３の駆動力を走行体１ｂに伝達するための伝達機構とを備えており、走行体１ｂにバケットフレーム２ａが取り付けられている。モータ３により走行体１ｂが上下方向に移動されるに伴い、バケットフレーム２ａも上下方向に移動される。
【００３２】
そして、図２に示すように、バケットフレーム２ａが下方に移動したときには、一対の連結アーム２ｇの先端部の間に設けられた受け部材（図示せず）が押し上げ体２ｆにより押し上げられて、一対の連結アーム２ｇが直線状に並び、これに伴い一対の移動フレーム２Ａが一対の軸２ｂを中心にして回転し、一対の保持アーム２ｃが互いに離間する方向に移動して開く。このため、ローカバーＣを傷つけることなく引き抜くことができる。
【００３３】
なお、押し上げ体２ｆにはバネが内蔵されている。押し上げ体２ｆが一対の連結アーム２ｇの先端部の間の受け部材に当たったときには、押し上げ体２ｆがバネ力に抗して僅かに下方に退き、バネにより受け部材に対する衝撃力が緩和されるため、一対の移動フレーム２Ａに対する衝撃力も緩和され、ローカバーＣが保護される。
【００３４】
このように、強制開機構によれば、一対の保持アーム２ｃを強制的に開くことができるため、開動作不良の対策として有効である。
【００３５】
２．本実施の形態の効果
本実施の形態によれば、ローカバーの保持に際して、動力源（例えば、エアー、電気）自体を用いる必要がなくなるため、動力源の調整も不要になる。
【００３６】
また、ローカバーの自重を利用してローカバーを保持することにより、常に適度の力でローカバーを保持することができる。
【００３７】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３８】
１            台座部
１ａ          支柱
１ｂ          走行体
２            バケット部
２Ａ          移動フレーム
２ａ          バケットフレーム
２ｂ、ｃ      軸
２ｃ、b       保持アーム
２ｄ、ａ      底板
２ｅ          底部
２ｆ          押し上げ体
２ｇ          連結アーム
２ｈ          ローラ
３            モータ
４            昇降部
Ａ、Ａ１      ローカバー保持装置
Ｃ            ローカバー
ｄ            伝達機構
ｅ            エアーシリンダー
【図１】
0006282953.tif 000002
【図２】
0006282953.tif 000003
【図３】
0006282953.tif 000004